(57)【特許請求の範囲】
【請求項１】
液体を収容する液体収容部と、
液体を浄化する成分を有する液体浄化剤と、
前記液体浄化剤を収容し、前記液体収容部内の上方に取り付けられた液体浄化剤収容部と、
前記液体収容部内の液体を前記液体収容部内の上方部に移動させ噴出させることにより前記液体浄化剤収容部内の前記液体浄化剤に前記液体収容部内の液体を供給する液体供給部と
を具備し、
前記液体浄化剤収容部内の前記液体浄化剤に供給された液体は、前記液体浄化剤収容部内の前記液体浄化剤を通過して前記液体収容部内に戻り、再度前記液体供給部により前記液体浄化剤収容部内の前記液体浄化剤に供給されることを繰り返し行う液体浄化装置において、
前記液体供給部は、
前記液体収容部内の下方から上方に伸びて前記液体浄化剤収容部を貫き、その上端部が前記液体浄化剤収容部の上端面部より突出し、かつ下方に開口を有した液体の通路である液体通路部と、
前記液体通路部内に取り付けられ、前記液体通路部内において渦巻状の液体の流れを生成する部材である液流生成部材と、
前記液流生成部材を回転させる部材回転部と、
前記液流生成部材の横に位置する前記液体通路部の内側表面に設けられた少なくとも１つの凸形状の横突起部と、
前記液流生成部材の斜め上方に位置する前記液体通路部の内側表面に設けられた少なくとも１つの凸形状の上方突起部と
を備え、
前記部材回転部により前記液流生成部材を回転させて前記液体通路部内に渦巻状の液体の流れを生成し、その渦巻状の液体の流れにより前記開口から前記液体収容部に収容された液体を前記液体通路部内に取り入れ、前記液体浄化剤収容部内の前記液体浄化剤に前記液体収容部に収容された液体を供給することを特徴とする液体浄化装置。
【請求項２】
前記横突起部と前記上方突起部とは、連なる凸形状として一体的に形成されたことを特徴とする請求項１記載の液体浄化装置。
【請求項３】
前記連なる凸形状は、前記横突起部の下端部から前記上方突起部の上端部にいくに従って凸形状の高さが小さくなっていくことを特徴とする請求項２記載の液体浄化装置。
【請求項４】
前記横突起部は、前記液流生成部材の横に位置する前記液体通路部の内側表面に１つ設けられ、
前記上方突起部は、前記液流生成部材の斜め上方に位置する前記液体通路部の内側表面に４つ設けられたことを特徴とする請求項１記載乃至請求項３の液体浄化装置。
【発明の詳細な説明】
【技術分野】
【０００１】
本発明は、液体を浄化する液体浄化装置および液体を移動させる液体移動装置に関し、特に、液体を渦巻状の液体の流れにより効率良く液体を移動させる液体浄化装置および液体移動装置に関する。
【背景技術】
【０００２】
近年、環境技術の発達により、家庭に提供される水の質は向上してきている。しかしながら、家庭に提供される水の質が向上したと言ってもそれは人体に悪影響を及ぼさないという面で質が向上したのであって、水のおいしさが向上してきたとは言い難い。特に、大都市圏における水道水は、飲むと臭さを感じることが多い。
【０００３】
このような問題を解決するため、以下に説明する活水器が提案されている（例えば、特許文献１参照。）。この活水器は、活水器本体と、活水器本体の底部に設けられたポンプハウジングと、そのポンプハウジング内に収容されたポンプシャフトに固着されたポンプブレードとおよびマグネットと、上記マグネットとカップリングをなしモータによって駆動されるマグネットと、ポンプハウジングの開口を閉じるハウジングスリーブと、ハウジングスリーブおよび活性炭カートリッジと接続されたパイプと、活水器本体の上部に設けたれた活性炭カートリッジとを備えている。
【０００４】
上記活水器は、モータによって駆動されるマグネットを回転させることにより、そのマグネットとカップリングをなすマグネットおよびポンプブレードを回転させる。これにより、ポンプハウジング内に水の流れができ、活水器本体に収容された水はポンプハウジング内に移動する。この移動した水は、ポンプハウジング、ハウジングスリーブ、パイプにより形成された領域内を移動して活性炭カートリッジに導かれる。活性炭カートリッジ内に水が入ると水が浄化される。活性炭カートリッジにより浄化された水は再び活水器本体内に排水される。上記活水器は、以上の動作を繰り返し行う。
【特許文献１】特開２００４−３１３９２１号公報（図３）
【発明の開示】
【発明が解決しようとする課題】
【０００５】
しかしながら、上記活水器には問題があった。上記活水器の問題を図６により説明する。図６は、上記活水器のポンプハウジング、ハウジングスリーブ、パイプ部分における断面図である。ポンプシャフト９３０に固着したマグネット９２０が回転すると、ポンプシャフト９３０によりポンプブレード９１０は回転させられる。
【０００６】
これにより、ポンプハウジング９４０、ハウジングスリーブ９５０、パイプ９６０により囲まれた領域内に渦流が生成され、外部より水および気泡がポンプハウジング９４０内に移動させられる。ポンプブレード９１０の回転を継続させると、水は上方へ移動していく。気泡は上方へ移動するものと、圧力の低いポンプブレード９１０の上に蓄積されるものがある。
【０００７】
上記活水器におけるポンプブレード９１０の回転をさらに継続させると、図６（ａ）に示すようにポンプハウジング９４０、ハウジングスリーブ９５０、パイプ９６０により囲まれた領域の中心付近に空気の領域ができてしまう。これは、ポンプブレード９１０の回転を継続すると、ポンプブレード９１０の回転により生成された渦流がだんだんと強くなって渦流の中心にある水が外側へと移動するからであると推測される。また、圧力の低いポンプブレード９１０の上にどんどん気泡が集まって蓄積され、その蓄積された気泡により渦流の中心付近の水が外側に移動させられることも原因の一つと推測される。
【０００８】
そして、ポンプブレード９１０の回転を継続させていくと最後には、図６（ｂ）に示すようにポンプブレード９１０の周囲には水がなくなる。この結果、ポンプブレード９１０は空回りして水および気泡を移動させることができなくなる。
【０００９】
そこで、本発明は、上記活水器のようにポンプブレード９１０を空回りさせる状態を無くし、渦巻状の液体の流れにより効率良く液体および気泡を移動させることによって継続的に液体および気泡を循環させて液体を浄化する液体浄化装置および渦巻状の液体の流れにより効率良く液体および気泡を移動させる液体移動装置を提供することを目的とする。
【課題を解決するための手段】
【００１０】
本発明は、上記課題を解決するためになされたものであり、本発明の液体浄化装置は、液体を収容する液体収容部と、液体を浄化する成分を有する液体浄化剤と、上記液体浄化剤を収容し、上記液体収容部内の上方に取り付けられた液体浄化剤収容部と、上記液体収容部内の液体を上記液体収容部内の上方部に移動させ噴出させることにより上記液体浄化剤収容部内の上記液体浄化剤に上記液体収容部内の液体を供給する液体供給部とを具備し、上記液体浄化剤収容部内の上記液体浄化剤に供給された液体は、上記液体浄化剤収容部内の上記液体浄化剤を通過して上記液体収容部内に戻り、再度上記液体供給部により上記液体浄化剤収容部内の上記液体浄化剤に供給されることを繰り返し行う液体浄化装置において、上記液体供給部は、上記液体収容部内の下方から上方に伸びて上記液体浄化剤収容部を貫き、その上端部が上記液体浄化剤収容部の上端面部より突出し、かつ下方に開口を有した液体の通路である液体通路部と、上記液体通路部内に取り付けられ、上記液体通路部内において渦巻状の液体の流れを生成する部材である液流生成部材と、上記液流生成部材を回転させる部材回転部と、上記液流生成部材付近の上記液体通路部の内側表面に設けられた少なくとも１つの凸形状の突起部とを備え、上記部材回転部により上記液流生成部材を回転させて上記液体通路部内に渦巻状の液体の流れを生成し、その渦巻状の液体の流れにより上記開口から上記液体収容部に収容された液体を上記液体通路部内に取り入れ、上記液体浄化剤収容部内の上記液体浄化剤に上記液体収容部に収容された液体を供給することを特徴とするものである。これにより、渦巻状の液体の流れにより継続的に液体および気泡を循環させて液体を浄化させるという作用をもたらす。
【００１１】
本発明の液体浄化装置は、液体を収容する液体収容部と、液体を浄化する成分を有する液体浄化剤と、上記液体浄化剤を収容し、上記液体収容部内の上方に取り付けられた液体浄化剤収容部と、上記液体収容部内の液体を上記液体収容部内の上方部に移動させ噴出させることにより上記液体浄化剤収容部内の上記液体浄化剤に上記液体収容部内の液体を供給する液体供給部とを具備し、上記液体浄化剤収容部内の上記液体浄化剤に供給された液体は、上記液体浄化剤収容部内の上記液体浄化剤を通過して上記液体収容部内に戻り、再度上記液体供給部により上記液体浄化剤収容部内の上記液体浄化剤に供給されることを繰り返し行う液体浄化装置において、上記液体供給部は、上記液体収容部内の下方から上方に伸びて上記液体浄化剤収容部を貫き、その上端部が上記液体浄化剤収容部の上端面部より突出し、かつ下方に開口を有した液体の通路である液体通路部と、上記液体通路部内に取り付けられ、上記液体通路部内において渦巻状の液体の流れを生成する部材である液流生成部材と、上記液流生成部材を回転させる部材回転部と、上記液流生成部材の横に位置する上記液体通路部の内側表面に設けられた少なくとも１つの凸形状の横突起部と、上記液流生成部材の斜め上方に位置する上記液体通路部の内側表面に設けられた少なくとも１つの凸形状の上方突起部とを備え、上記部材回転部により上記液流生成部材を回転させて上記液体通路部内に渦巻状の液体の流れを生成し、その渦巻状の液体の流れにより上記開口から上記液体収容部に収容された液体を上記液体通路部内に取り入れ、上記液体浄化剤収容部内の上記液体浄化剤に上記液体収容部に収容された液体を供給することを特徴とするものである。これにより、液体通路部内における渦巻状の液体の流れの強さを調整させると供に新たな液体の流れを生成させるという作用をもたらす。
【００１２】
また、本発明の液体浄化装置において、上記横突起部と上記上方突起部とは、連なる凸形状として一体的に形成されたことを特徴とする。これにより、上記横突起部と上記上方突起部との製造を容易にさせるという作用をもたらす。
【００１３】
また、本発明の液体浄化装置において、上記連なる凸形状は、上記横突起部の下端部から上記上方突起部の上端部にいくに従って凸形状の高さが小さくなっていくことを特徴とする。これにより、液体通路部内における渦巻状の液体の流れの強さを弱める度合いを的確に調整させると供に新たな液体の流れを生成させるという作用をもたらす。
【００１４】
また、本発明の液体浄化装置において、上記横突起部は、上記液流生成部材の横に位置する上記液体通路部の内側表面に１つ設けられ、上記上方突起部は、上記液流生成部材の斜め上方に位置する上記液体通路部の内側表面に４つ設けられたことを特徴とする。これにより、液体通路部内における渦巻状の液体の流れの強さを的確に調整させると供に新たな液体の流れを生成させるという作用をもたらす。
【００１５】
また、本発明の液体移動装置は、液体を移動させる液体移動装置であって、開口を有し、外部から上記開口より取り入れた液体を移動させる通路である液体通路部と、上記液体通路部内に取り付けられ、上記液体通路部内において渦巻状の液体の流れを生成する部材である液流生成部材と、上記液流生成部材を回転させる部材回転部と、上記液流生成部材付近の上記液体通路部の内側表面に設けられた少なくとも１つの凸形状の突起部とを備え、上記部材回転部により上記液流生成部材を回転させて上記液体通路部内に渦巻状の液体の流れを生成し、その渦巻状の液体の流れにより上記開口から外部の液体を上記液体通路部内に取り入れ、上記液体通路部に沿って液体を移動させることを特徴とするものである。これにより、渦巻状の液体の流れにより液体および気泡を効率良く移動させるという作用をもたらす。
【００１６】
また、本発明の液体移動装置において、上記突起部は、上記液流生成部材の横付近に位置する上記液体通路部の内側表面に設けられた少なくとも１つの凸形状の横突起部と、上記液流生成部材の斜め上方付近に位置する上記液体通路部の内側表面に設けられた少なくとも１つの凸形状の上方突起部とを備えたことを特徴とする。これにより、液体通路部内における渦巻状の液体の流れの強さを調整させると供に新たな液体の流れを生成させるという作用をもたらす。
【００１７】
また、本発明の液体移動装置において、上記部材回転部は、永久磁石により形成され、上記液流生成部材と供に回転可能に設けられた第１の磁石部材と、永久磁石により形成され、上記第１の磁石部材から所定距離離れた位置に設けられた第２の磁石部材と、上記第２の磁石部材を回転させるモータ駆動部とを備え、上記第１の磁石部材は、上記モータ駆動部により回転させられた上記第２の磁石部材との間に作用する磁石の引力および反発力によって回転して上記液流生成部材を回転させることを特徴とする。これにより、磁石の作用を用いて液体通路部内における渦巻状の液体の流れを生成させるという作用をもたらす。
【００１８】
また、本発明の液体移動装置において、上記液流生成部材は、スクリュー形状の部材であることを特徴とする。これにより、液体通路部内に容易に渦巻状の液体の流れを発生させるという作用をもたらす。
【発明の効果】
【００１９】
本発明の液体浄化装置によれば、渦巻状の液体の流れにより効率良く液体および気泡を移動させて液体を浄化することができるという優れた効果を奏し得る。また、本発明の液体移動装置によれば、渦巻状の液体の流れにより効率良く液体および気泡を移動させることができるという優れた効果を奏し得る。
【発明を実施するための最良の形態】
【００２０】
次に本発明の実施の形態について図面を参照して詳細に説明する。
【００２１】
図１は、本発明の実施の形態における液体浄化装置１００の一例を示す図である。本発明の実施の形態における液体浄化装置１００は、液体収容部１０と、液体供給部２０、浄化部３０とを備える。
【００２２】
液体収容部１０は、液体収容部１０に設けられた開口１１より入れられた液体を収容するものである。開口１１には、蓋１２が設けられている。蓋１２は、図１に示すように蓋取付部１３を支点として回動可能な状態で液体収容部１０の開口１１付近に取り付けられている。開口１１より液体収容部１０に液体を所定量入れた後は、液体収容部１０内に外部より異物が混入しないように蓋１２を回動させて開口１１を閉じる。
【００２３】
液体供給部２０は、下方に設けられた開口２２ａ、２２ｂ等より液体収容部１０に収容された液体を取り入れ、液体収容部１０内の液体を浄化部３０に供給するものであり、液体通路部２１と、（図示しない）液流生成部材５１と、（図示しない）部材回転部６０と、（図示しない）上方突起部２６乃至２８と、（図示しない）横突起部２９とを備える。なお、（図示しない）液流生成部材５１、（図示しない）上方突起部２６乃至２８および（図示しない）横突起部２９は、図２および図３において詳細に説明する。また、（図示しない）部材回転部６０は、図４において詳細に説明する。
【００２４】
液体通路部２１は、液流生成部材群収容部２２と、液体通路管２３とを備える。液流生成部材群収容部２２は、（図示しない）液流生成部材５１および（図示しない）回転部材５２（以下、液流生成部材５１および回転部材５２を合わせて液流生成部材群と呼ぶ。）を収容するものである。液流生成部材群収容部２２内に収容された（図示しない）液流生成部材群により液流生成部材群収容部２２内において渦巻状の液体の流れ（以下、渦流と呼ぶ）が生成される。
【００２５】
液流生成部材群により液流生成部材群収容部２２内において渦流が生成されると、液流生成部材群収容部２２の下方に設けられた開口２２ａ、２２ｂより液流生成部材群収容部２２内へ液体収容部１０内の液体および気泡が移動する。そして、液流生成部材群収容部２２内に移動した液体および気泡は、液体通路管２３を通じて浄化部３０に送られる。
【００２６】
なお、（図示しない）液流生成部材群による渦流の生成を制御する（図示しない）制御系統は、液体収容部１０を載置した載置台４０内に収容されている。この制御系統により渦流は制御される。
【００２７】
浄化部３０は、液体供給部２０から供給された液体を浄化するものであり、液体浄化剤収容部３１と、液体浄化剤３２とを備える。液体浄化剤収容部３１は、液体浄化剤３２を収容するものであり、液体収容部１０内の上方において液体収容部１０から脱着可能な状態で取り付けられている。また、液体浄化剤収容部３１の上端面部３１ａおよび下端面部３１ｂには、多数の孔が設けられている。液体浄化剤収容部３１の形状として、例えば図１に示すような上端面と下端面に多数の孔が設けられた中空円柱形状が想定されるが、これに限るものではない。
【００２８】
液体通路管２３は、液体浄化剤収容部３１の中心を貫いて液体浄化剤収容部３１の上端面部３１ａより突出している。液流生成部材群収容部２２内に移動した液体および気泡は液体通路管２３を通じて上方へ移動させられ、液体通路管２３の上端部２３ａより噴出する。この液体通路管２３の上端部２３ａより噴出した液体は、液体浄化剤収容部３１の上端面部３１ａに設けられた多数の孔より液体浄化剤収容部３１の内部に入り込む。
【００２９】
液体浄化剤収容部３１の内部に入り込んだ液体は、液体浄化剤収容部３１に収容された液体浄化剤３２内を通過して、液体浄化剤収容部３１の下端面部３１ｂに設けられた多数の孔より排水され液体収容部１０内に戻る。なお、液体浄化剤収容部３１の内部に入り込んだ液体は、液体浄化剤３２内を通過する際に浄化される。そして、液体収容部１０内に戻った液体は、再び液体供給部２０により浄化部３０に送られ再び浄化される。
【００３０】
液体浄化剤３２は、液体を浄化する成分を調合したものである。液体浄化剤３２として、例えば、活性炭、マグネシウム、風化珊瑚等を調合したものが想定されるが、これに限るものではない。浄化する液体の種類や液体に含まれる浄化すべき成分等によって液体浄化剤３２の成分は決定される。
【００３１】
図２は、本発明の実施の形態における液流生成部材群および液流生成部材群収容部２２の一例を示す図である。液流生成部材群は、上記説明したように液流生成部材５１と回転部材５２より構成されている。図２の上から三番目に示した液流生成部材５１は、液流生成部材群収容部２２内において渦流を生成する部材である。液流生成部材５１の形状として、例えば図２に示すように円盤形状の部材の下面にスクリュー形状の羽根を複数設けた形状が想定されるが、これに限るものではない。液流生成部材５１の形状を円盤形状の部材の下面にスクリュー形状の羽根を複数設けた形状にした場合、液流生成部材５１は回転することにより液流生成部材群収容部２２内に容易に渦流を生成することができる。
【００３２】
また、液流生成部材５１の円盤部分における中心には棒部材５１ａが設けられている。そして、その棒部材５１ａにはストッパ部材５１ｂが設けられている。
【００３３】
図２の一番下に示した回転部材５２は、液流生成部材５１を回転させる部材であり、永久磁石により形成された磁石部材５２ａと、磁石部材５２ａを収容する磁石部材ケース５２ｂとを備える。磁石部材５２ａの形状として、例えば円盤形状が想定されるが、これに限るものではない。また、磁石部材５２ａの中心には、孔５２ｃが設けられている。磁石部材５２ａのその他の詳細については後述する。
【００３４】
液流生成部材群収容部２２は、上記説明したように液流生成部材群を収容するものであり、部材保持部２４と、部材カバー部２５とを備える。部材保持部２４は、液流生成部材５１を保持するものである。部材保持部２４の形状として、例えば円筒形状の側面下方部分を四角形状に切り取った形状が想定されるが、これに限るものではない。図２において四角形状に切り取った部分は４つあり、このうちの２つが図１において説明した開口２２ａ、２２ｂに相当する。その他の四角形状に切り取った部分は開口２２ｃ、２２ｄとなる。
【００３５】
また、部材保持部２４には、部材保持板２４ａがその内部に設けられている。部材保持板２４ａの形状として、例えば中心に円形状の孔２４ｂが設けられており、その孔２４ｂの周りに扇形状の孔２４ｃ乃至２４ｆが設けられた円盤形状が想定されるが、これに限るものではない。
【００３６】
部材保持部２４に液流生成部材５１を保持させる場合、液流生成部材５１における棒部材５１ａを部材保持板２４ａにおける孔２４ｂに差し込む。棒部材５１ａを孔２４ｂに差し込んで下方に移動させていくとストッパ部材５１ｂの径が孔２４ｂの径より大きいため、ストッパ部材５１ｂが部材保持板２４ａに接触するとそれ以上棒部材５１ａは下方へ移動できなくなる。次に、回転部材５２における磁石部材５２ａに設けられた孔５２ｃを棒部材５１ａの下端部に差し込む。これにより、液流生成部材５１は部材保持部２４に保持されることになる。また、回転部材５２は、棒部材５１ａの下端部に固定される。
【００３７】
部材カバー部２５は、部材保持部２４の上方から液流生成部材群を覆う部材である。図２において部材カバー部２５の上方部２５ａおよび下方部２５ｂは円筒形状をしており、部材カバー部２５の中間部２５ｃは円錐の先端部を切った形状をしている。なお、上記説明した部材カバー部２５の形状は一例であって、これに限るものではない。
【００３８】
そして、部材カバー部２５の下方部２５ｂの円筒形状の径は、部材保持部２４の径とほぼ同じである。このため、部材カバー部２５を部材保持部２４の上方から被せると、部材カバー部２５は部材保持部２４に固定される。また、部材カバー部２５の上方部２５ａの円筒形状部分には、円筒形状をした液体通路管２３が差し込まれる。
【００３９】
また、部材カバー部２５の内面部には、凸形状の上方突起部２６乃至２８および横突起部２９が設けられている。上方突起部２６乃至２８は、部材カバー部２５の中間部２５ｃの内側側面に設けられている。図２において上方突起部２６乃至２８の形状は、台形形状になっているが、これに限るものではない。すなわち、上方突起部２６乃至２８は後述するように液流生成部材５１の上方における渦流の勢いを妨げる役割および上方へ新たな液体の流れを生成する役割を果たすため、上方突起部２６乃至２８の形状はその液流生成部材５１の上方における渦流の勢いを妨げる役割および上方へ新たな液体の流れを生成する役割を達成することができるなら、どのような形状であっても良い。
【００４０】
また、図２において部材カバー部２５の中間部２５ｃの内側側面には、３つの上方突起部（上方突起部２６乃至２８）が設けられているが、これに限るものではなく、上方突起部は少なくとも１つあればよい。
【００４１】
横突起部２９は、部材カバー部２５の下方部２５ｂの内側側面に設けられている。図２において横突起部２９の形状は、四角形状になっているが、これに限るものではない。すなわち、横突起部２９は後述するように液流生成部材５１の周囲における渦流の勢いを妨げる役割および上方へ新たな液体の流れを生成する役割を果たすため、横突起部２９の形状はその液流生成部材５１の周囲における渦流の勢いを妨げる役割および上方へ新たな液体の流れを生成する役割を達成することができるなら、どのような形状であっても良い。
【００４２】
また、図２において部材カバー部２５の下方部２５ｂの内側側面には、横突起部は１つしか設けられていないが、これに限るものではなく、横突起部は２つ以上あってもよい。
【００４３】
なお、図２に示すように横突起部２９と上方突起部２６とは、連なる凸形状として一体的に形成するようにしてもよい。これにより、横突起部２９と上方突起部２６とを一体的に形成することができるため、製造が容易になる。また、横突起部２９と上方突起部２６とを連なる凸形状として一体的に形成した場合、横突起部２９の下端部から上方突起部２６の上端部にいくに従ってその連なる凸形状の高さが段々と低くなるように横突起部２９と上方突起部２６とを形成しても良い。これにより、液流発生部材５１より上方へ行くに従って渦流の勢いを妨げる度合いを弱くすることができる。この結果、液流生成部材群収容部２２内における渦流の勢いを弱め過ぎないようにすることができる。
【００４４】
図３は、本発明の実施の形態における液流生成部材群を液流生成部材群収容部２２に収容した様子を示す図である。図２において示した液流生成部材５１における棒部材５１ａを部材保持部２４における部材保持板２４ａの孔２４ｂに差し込み、さらに孔２４ｂから突き出た棒部材５１ａに回転部材５２を差し込む。
【００４５】
そして、部材カバー部２５を部材保持部２４に被せると、図３（ａ）に示すように液流生成部材群収容部２２（部材保持部２４および部材カバー部２５）に液流生成部材群（液流生成部材５１および回転部材５２）が収容される。
【００４６】
図３（ｂ）は、液流生成部材群が収容された液流生成部材群収容部２２の断面図である。液流生成部材５１は、部材カバー部２５と部材保持板２４ａにより囲まれた領域に位置している。そして、液流生成部材５１の斜め上方付近に上方突起部２６乃至２８が位置する。そして、横突起部２９は、液流生成部材５１の横付近に位置する。
【００４７】
また、液流生成部材５１と横突起部２９とは、距離Ｄ１離れている。液流生成部材５１と横突起部２９との間の距離Ｄ１を小さくし過ぎると、液流生成部材５１と横突起部２９との間に液体および気泡が通過することのできるスペースがなくなるため、距離Ｄ１はある程度の距離を要する。
【００４８】
部材保持板２４ａにおける孔２４ｃおよび２４ｅは、開口２２ｃおよび２２ｄから入ってくる液体および気泡を部材保持板２４ａより上に通すために設けられている。また、回転部材５２は、部材保持板２４ａより所定距離Ｄ２離れている。回転部材５２と部材保持板２４ａとの間の距離Ｄ２を小さくし過ぎると、回転部材５２と部材保持板２４ａとの間に液体および気泡が通過することのできるスペースがなくなるため、距離Ｄ２はある程度の距離を要する。
【００４９】
図４は、本発明の実施の形態における部材回転部６０の一例を示すものである。本発明の実施の形態における部材回転部６０は、液流生成部材５１を回転させるものであり、回転部材５２とおよび６１と、モータ駆動部６２とを備える。
【００５０】
なお、図４において回転部材５２は上記説明したように液流生成部材群収容部２２内に収容されており、回転部材６１およびモータ駆動部６２は載置台４０内に収容されているが、これに限るものではない。また、回転部材６１およびモータ駆動部６２は、図１において説明した液流生成部材群による渦流の生成を制御する制御系統に相当する。
【００５１】
回転部材５２は、上記述べたように液流生成部材５１を回転させる部材であり、永久磁石により形成された磁石部材５２ａと、磁石部材５２ａを収容する磁石部材ケース５２ｂとを備える。そして、磁石部材５２ａは、図４に示すように扇形状のＳ極の永久磁石とＮ極の永久磁石とを交互に並べて円盤形状を形成している。
【００５２】
回転部材６１も回転部材５２と同様の構成になっている。すなわち、回転部材６１は、永久磁石により形成された磁石部材６１ａと、磁石部材６１ａを収容する磁石部材ケース６１ｂとを備える。そして、磁石部材６１ａは、図４に示すように扇形状のＳ極の永久磁石とＮ極の永久磁石とを交互に並べて円盤形状を形成している。
【００５３】
モータ駆動部６２は、回転部材６１を回転させるものであり、モータ６３と、操作部６４と、モータ制御部６５とを備える。モータ６３の回転軸６３ａは、回転部材６１の中心に設けられた孔６１ｃに差し込まれる。これにより、モータ６３の回転が回転部材６１に伝達され、モータ６３を回転させると回転部材６１は回転する。
【００５４】
そして、回転部材６１が回転すると、回転部材６１の磁石部材６１ａにおけるＮ極（Ｓ極）の永久磁石と、回転部材５２の磁石部材５２ａにおけるＮ極（Ｓ極）の永久磁石との間の反発力および、回転部材６１の磁石部材６１ａにおけるＮ極（Ｓ極）の永久磁石と、回転部材５２の磁石部材５２ａにおけるＳ極（Ｎ極）の永久磁石との間の引力が作用して、回転部材５２は回転部材６１と同方向に回転させられる。
【００５５】
なお、上記の説明において磁石部材５２ａおよび６１ａは、両方とも永久磁石により形成されることとされているが、回転部材６１を回転させることにより回転部材５２を回転させられればよいため、磁石部材５２ａおよび６１ａのいずれか一方を永久磁石により形成し、他方を磁性体により形成する構成であっても良い。また、磁石部材５２ａおよび６１ａは、円盤形状以外の形状であっても良い。
【００５６】
操作部６４は、外部からの要求を受け付けてその旨をモータ制御部６５に伝えるものである。操作部６４に対する外部からの要求として、例えばモータ６３の回転の開始や停止の要求が想定されるが、これに限るものではない。
【００５７】
モータ制御部６５は、モータ６３の回転を制御するものである。モータ制御部６５におけるモータの制御態様として、例えばモータ６３を所定時間回転させた後にモータ６３の回転を停止させたり、操作部６４から伝えられた外部からの要求に従ってモータ６３の回転を開始または停止させたりすることが想定されるが、これに限るものではない。
【００５８】
次に本発明の実施の形態における液体供給部２０の動作について図面を参照して説明する。
【００５９】
図５は、本発明の実施の形態における液体供給部２０が浄化部３０に液体を供給する様子を示す図である。液流生成部材５１を回転させていない場合でも、液流生成部材群収容部２２内には開口２２ａ乃至２２ｄから液体収容部１０内の液体および気泡が入り込む。
【００６０】
この場合、液体収容部１０内の圧力と液流生成部材群収容部２２内の圧力とが均衡するまで、液流生成部材群収容部２２内に液体収容部１０内の液体および気泡が入り込み続ける。そして、図５（ａ）に示すように、液流生成部材５１が液体に没入する付近で液体収容部１０内の圧力と液流生成部材群収容部２２内の圧力とが均衡するように液体浄化装置１００を構成する。
【００６１】
この状態から図５（ｂ）に示すように（図示しない）モータ駆動部６２により（図示しない）回転部材６１を回転させると、回転部材５２も回転して液流生成部材５１は回転する。液流生成部材５１が回転すると、液流生成部材群収容部２２内に渦流が発生して、開口２２ａ乃至２２ｄより液体収容部１０内の液体および気泡がどんどん液流生成部材群収容部２２内に入ってくる。液流生成部材５１をさらに回転させ続けると、液流生成部材群収容部２２内の水位がどんどん上昇する。
【００６２】
横突起部２９は液流生成部材５１の横付近に位置するため、液流生成部材５１の周囲の渦流は横突起部２９に激突する。このため、液流生成部材５１の周囲の渦流は弱められる。これにより、従来における問題点である渦流が強くなることによって、渦流の中心付近における空気の領域が拡大することを妨げることができる。
【００６３】
また、渦流が横突起部２９に激突すると、その渦流は弱められるだけでなく、横突起部２９の表面に沿った上方向（矢印Ａ方向）に液体の流れができる。すなわち、横突起部２９は上方に向かう液体の流れを作り出している。これにより、液流生成部材５１と横突起部２９とが位置する領域付近には上方に向かう液体の流れができるため、液流生成部材５１の下方に位置する気泡がその上方に向かう流れによってどんどん移動していく。したがって、液流生成部材５１の下方に位置する気泡が多数あっても、横突起部２９の表面に沿った上方向（矢印Ａ方向）の流れにより気泡を移動させられるため、液流生成部材５１の下方に気泡を蓄積させずに済む。
【００６４】
さらに液流生成部材５１をさらに回転させ続けると、液体通路部２１内の水位が上がり、上方突起部２６乃至２８も液体中に没入して図５（ｃ）に示す状態になる。液流生成部材５１により生成される渦流により液流生成部材５１の上方にも渦流ができる。
【００６５】
上方突起部２６乃至２８は液流生成部材５１の斜め上方付近に位置するため、液流生成部材５１の上方の渦流は上方突起部２６乃至２８に激突する。このため、液流生成部材５１の上方の渦流は弱められる。これにより、従来における問題点である渦流が強くなることによって、渦流の中心付近における空気の領域が拡大することを妨げることができる。
【００６６】
また、渦流が上方突起部２６乃至２８に激突すると、その渦流は弱められるだけでなく、上方突起部２６乃至２８の表面に沿った上方向（それぞれ矢印Ｂ方向、矢印Ｃ方向、矢印Ｄ方向）に液体の流れができる。すなわち、上方突起部２６乃至２８は上方に向かう液体の流れを作り出している。これにより、上方突起部２６乃至２８付近の領域には上方に向かう液体の流れができるため、液流生成部材５１の上方に溜まった気泡がその上方に向かう流れによってどんどん移動していく。
【００６７】
以上のようにして、液体および気泡は液体通路管２３内を上方に向かって移動し、液体通路管２３の上端部２３ａより噴出する。この上端部２３ａより噴出した液体は、浄化部３０において浄化され再び液体収容部１０内に戻る。液体収容部１０内に戻った液体は、再び液体供給部２０により浄化部３０に送られ、再度浄化される。以上の処理を、例えば所定時間繰り返し行う。これにより、液体として水道水を液体浄化装置１００において浄化させた場合、質の良い水を生成することができる。
【００６８】
このように、本発明の実施の形態における液体浄化装置１００によれば、液流生成部材５１により生成された液体通路部２１内における渦流の強さを上方突起部２６乃至２８および横突起部２９により調整することができる。また、本発明の実施の形態における液体浄化装置１００によれば、液流生成部材５１により生成された液体通路部２１内における渦流を上方突起部２６乃至２８および横突起部２９に激突させることにより、上方に向かう流れを作り出すことができる。これにより、液体および気泡は、液体浄化装置１００内を継続的に循環することができる。
【００６９】
なお、本願出願人が上記のように液体浄化装置１００を動作させた結果、液体および気泡が最も効率良く液体浄化装置１００内を循環するのは、上方突起部を４つ、横突起部を１つ設けた場合であることが確認された。
【００７０】
液体浄化装置１００における渦流により液体収容部１０から液体を液流生成部材群収容部２２内に取り込んで浄化部３０に液体を供給する液体供給機構は、液体移動装置として液体浄化装置１００以外の装置にも応用することができる。すなわち、液流生成部材５１により生成した渦流により外部の液体を液流生成部材群収容部２２内に取り込んで液体通路管２３に沿ってその液体を移動させる装置を液体移動装置として捉えることになる。
【００７１】
なお、本発明の実施の形態は本発明を具現化するための一例を示したものであり、これに限定されるものではなく本発明の要旨を逸脱しない範囲において種々の変形を施すことができる。
【産業上の利用可能性】
【００７２】
本発明の活用例として、例えば水道水のみならず、市販の水の浄化を行う際に本発明を適用することができる。
【図面の簡単な説明】
【００７３】
【図１】本発明の実施の形態における液体浄化装置１００の一例を示す図である。
【図２】本発明の実施の形態における液流生成部材群および液流生成部材群収容部２２の一例を示す図である。
【図３】本発明の実施の形態における液流生成部材群を液流生成部材群収容部２２に収容した様子を示す図である。
【図４】本発明の実施の形態における部材回転部６０の一例を示すものである。
【図５】本発明の実施の形態における液体供給部２０が浄化部３０に液体を供給する様子を示す図である。
【図６】従来技術である活水器のポンプハウジング、ハウジングスリーブ、パイプ部分における断面図である。
【符号の説明】
【００７４】
１０  液体収容部
１１  開口
１２  蓋
１３  蓋取付部
２０  液体供給部
２１  液体通路部
２２  液流生成部材群収容部
２２ａ、２２ｂ、２２ｃ、２２ｄ  開口
２３  液体通路管
２４  部材保持部
２４ａ  部材保持板
２４ｂ、２４ｃ、２４ｄ、２４ｅ、２４ｆ  孔
２５  部材カバー部
２６、２７、２８  上方突起部
２９  横突起部
３０  浄化部
３１  液体浄化剤収容部
３２  液体浄化剤
４０  載置台
５１  液流生成部材
５１ａ  棒部材
５１ｂ  ストッパ部材
５２、６１  回転部材
５２ａ、６１ａ  磁石部材
５２ｂ、６１ｂ  磁石部材ケース
５２ｃ、６１ｃ  孔
６２  モータ駆動部
６３  モータ
６４  操作部
６５  モータ制御部
１００  液体浄化装置
【図１】
0004335274.tif 000002
【図２】
0004335274.tif 000003
【図３】
0004335274.tif 000004
【図４】
0004335274.tif 000005
【図５】
0004335274.tif 000006
【図６】
0004335274.tif 000007